(57)【特許請求の範囲】
【請求項１】
監視領域の警備を行なう警備装置から非常事態が発生した旨の入力を受け付ける受付部と、
前記非常事態が発生した旨の入力を受け付けた場合に、前記監視領域のうち少なくとも一つの電気錠ごとに区分けされた領域における人の存在有無状況を前記非常事態の発生の状況として前記警備装置から取得する取得部と、
取得した前記人の存在有無状況をもとに、人が存在する前記領域の前記電気錠を優先して解錠するように順位付けした解錠優先順位を決定する決定部と、
決定された前記解錠優先順位にしたがって前記電気錠の解錠制御を行なう解錠制御部と
を有し、前記決定部は、前記人の存在有無状況をもとにした前記解錠優先順位を一意に決定できない場合に、前記非常事態の種類に応じて前記解錠優先順位を決定する、
ことを特徴とする電気錠制御装置。
【請求項２】
前記取得部は、前記領域それぞれに存在する人の人数情報を前記警備装置から取得し、
前記決定部は、取得された前記人数情報をもとに、前記人が存在する前記領域のうち、人数がより多い前記領域の電気錠を優先して解除するように順位付けした前記解錠優先順位を決定することを特徴とする請求項１に記載の電気錠制御装置。
【請求項３】
前記決定部は、人が存在する前記領域が複数存在することにより、前記人の存在有無状況をもとにした前記解錠優先順位を一意に決定できない場合に、前記非常事態の種類に応じて前記解錠優先順位を決定することを特徴とする請求項１に記載の電気錠制御装置。
【請求項４】
前記決定部は、前記人数情報において人数が同数であることにより、前記人数情報をもとにした前記解錠優先順位を一意に決定できない場合に、前記非常事態の種類に応じて前記解錠優先順位を決定することを特徴とする請求項２に記載の電気錠制御装置。
【請求項５】
前記受付部は、前記警備装置から火災による非常事態が発生した旨の入力を受け付け、
前記決定部は、前記監視領域に配置された火災の発生を検知した火災検知装置と、前記電気錠それぞれとの距離情報に応じて前記解錠優先順位を決定することを特徴とする請求項１に記載の電気錠制御装置。
【請求項６】
前記決定部は、火災の発生を検知した前記火災検知装置により近い前記電気錠を優先して解錠するように順位付けした前記解錠優先順位を決定することを特徴とする請求項５に記載の電気錠制御装置。
【請求項７】
前記決定部は、前記監視領域における避難口に最も近い前記火災検知装置によって火災の発生が検知された場合に、前記避難口への避難路を確保可能な前記電気錠を最優先して解錠するように順位付けした前記解錠優先順位を決定することを特徴とする請求項６に記載の電気錠制御装置。
【請求項８】
前記受付部は、前記警備装置から地震による非常事態が発生した旨の入力を受け付け、
前記決定部は、前記監視領域における避難口と、前記電気錠それぞれとの距離情報に応じて前記解錠優先順位を決定することを特徴とする請求項１に記載の電気錠制御装置。
【請求項９】
前記決定部は、前記避難口により遠い前記電気錠を優先して解錠するように順位付けした前記解錠優先順位を決定することを特徴とする請求項８に記載の電気錠制御装置。
【請求項１０】
前記決定部は、前記避難口への避難路を確保可能な前記電気錠を最優先して解錠するように順位付けした前記解錠優先順位を決定することを特徴とする請求項９に記載の電気錠制御装置。
【請求項１１】
前記受付部は、前記警備装置からユーザによって非常ボタンが押下された旨の入力を受け付け、
前記決定部は、前記ユーザによって押下された前記非常ボタンにより近い前記電気錠を優先して解錠するように順位付けした前記解錠優先順位を決定することを特徴とする請求項１に記載の電気錠制御装置。
【請求項１２】
前記電気錠の予め設定された解錠順位である固定解錠順位を記憶する記憶部をさらに有し、
前記決定部は、前記非常事態の種類に応じた前記解錠優先順位を一意に決定できない場合に、前記固定解錠順位に応じて前記解錠優先順位を決定することを特徴とする請求項１に記載の電気錠制御装置。
【請求項１３】
前記決定部は、火災の発生を検知する火災検知装置からの距離が同一である前記電気錠が複数存在することにより、前記非常事態の種類に応じた前記解錠優先順位を一意に決定できない場合に、前記固定解錠順位に応じて前記解錠優先順位を決定することを特徴とする請求項１２に記載の電気錠制御装置。
【請求項１４】
前記決定部は、前記監視領域における避難口からの距離が同一である前記電気錠が複数存在することにより、前記非常事態の種類に応じた前記解錠優先順位を一意に決定できない場合に、前記固定解錠順位に応じて前記解錠優先順位を決定することを特徴とする請求項１２に記載の電気錠制御装置。
【請求項１５】
前記決定部は、ユーザによって押下された非常ボタンからの距離が同一である前記電気錠が複数存在することにより、前記非常事態の種類に応じた前記解錠優先順位を一意に決定できない場合に、前記固定解錠順位に応じて前記解錠優先順位を決定することを特徴とする請求項１２に記載の電気錠制御装置。
【請求項１６】
監視領域の警備を行なう警備装置から非常事態が発生した旨の入力を受け付ける受付ステップと、
前記非常事態が発生した旨の入力を受け付けた場合に、前記監視領域のうち少なくとも一つの電気錠ごとに区分けされた領域における人の存在有無状況を前記非常事態の発生の状況として前記警備装置から取得する取得ステップと、
取得された前記人の存在有無状況をもとに、人が存在する前記領域の前記電気錠を優先して解錠するように順位付けした解錠優先順位を決定する決定ステップと、
決定された前記解錠優先順位にしたがって前記電気錠の解錠制御を行なう解錠制御ステップと
を含み、
前記決定ステップは、前記人の存在有無状況をもとにした前記解錠優先順位を一意に決定できない場合に、前記非常事態の種類に応じて前記解錠優先順位を決定する、
ことを特徴とする電気錠制御方法。
【発明の詳細な説明】
【技術分野】
【０００１】
本発明は、電気錠制御装置及び電気錠制御方法に関する。
【背景技術】
【０００２】
従来、建造物や部屋の出入口の扉付近には、防犯のために電気錠が設置されていることがある。また、電気錠が設置された扉付近には、テンキー、接触式又は非接触のカードリーダ、タッチパネル、指紋や虹彩や静脈等の生体情報を読み取る生体情報読取装置等の操作部が設置される。電気錠は、電源装置から供給された電力を利用して該電気錠の端子へ通電や電圧を印加することにより施解錠を制御する電気錠制御装置と有線又は無線で接続されている。電気錠制御装置は、上記操作部からの信号をもとに認証処理を行ない、対象の電気錠の施解錠を制御する。
【０００３】
例えば、特許文献１（特開平９−９６１３８号公報）では、複数の電気錠に対して一斉に施解錠を制御する要求がなされた場合であっても、同時に施解錠せずに、予め定められた優先順位にしたがって施解錠を順次制御することにより、電源装置の容量を小さくする技術が開示されている。
【先行技術文献】
【特許文献】
【０００４】
【特許文献１】特開平９−９６１３８号公報
【発明の概要】
【発明が解決しようとする課題】
【０００５】
しかしながら、従来技術では、最適な順に電気錠を解錠することが困難であるという問題がある。具体的には、電気錠の順次解錠において、火災や地震等の緊急時である場合には、予め定められた優先順位にしたがって解錠することが最適であるとは限られない。この結果、従来技術では、火災や地震等の緊急時の状況に応じて、最適な順に電気錠を解錠することが困難である。
【０００６】
本発明は、上記に鑑みてなされたものであって、状況に応じて最適な順に電気錠を解錠することが可能である電気錠制御装置及び電気錠制御方法を提供することを目的とする。
【課題を解決するための手段】
【０００７】
上述した課題を解決し、目的を達成するため、本発明に係る電気錠制御装置は、監視領域の警備を行なう警備装置から非常事態が発生した旨の入力を受け付ける受付部と、前記非常事態が発生した旨の入力を受け付けた場合に、前記監視領域のうち少なくとも一つの電気錠ごとに区分けされた領域における人の存在有無状況を前記非常事態の発生の状況として前記警備装置から取得する取得部と、取得した前記人の存在有無状況をもとに、人が存在する前記領域の前記電気錠を優先して解錠するように順位付けした解錠優先順位を決定する決定部と、決定された前記解錠優先順位にしたがって前記電気錠の解錠制御を行なう解錠制御部とを有し、前記決定部は、前記人の存在有無状況をもとにした前記解錠優先順位を一意に決定できない場合に、前記非常事態の種類に応じて前記解錠優先順位を決定する。
【０００８】
また、本発明に係る電気錠制御方法は、監視領域の警備を行なう警備装置から非常事態が発生した旨の入力を受け付ける受付ステップと、前記非常事態が発生した旨の入力を受け付けた場合に、前記監視領域のうち少なくとも一つの電気錠ごとに区分けされた領域における人の存在有無状況を前記非常事態の発生の状況として前記警備装置から取得する取得ステップと、取得された前記人の存在有無状況をもとに、人が存在する前記領域の前記電気錠を優先して解錠するように順位付けした解錠優先順位を決定する決定ステップと、決定された前記解錠優先順位にしたがって前記電気錠の解錠制御を行なう解錠制御ステップとを含み、前記決定ステップは、前記人の存在有無状況をもとにした前記解錠優先順位を一意に決定できない場合に、前記非常事態の種類に応じて前記解錠優先順位を決定する。
【発明の効果】
【０００９】
本発明の一つの様態によれば、状況に応じて最適な順に電気錠を解錠することができるという効果を奏する。
【図面の簡単な説明】
【００１０】
【図１】図１は、実施の形態１に係る電気錠制御システムの構成例を示す図である。
【図２】図２は、警備装置によって警備が行なわれる監視領域の例を示す図である。
【図３】図３は、実施の形態１に係る電気錠制御装置の構成例を示す機能ブロック図である。
【図４】図４は、固定解錠順位記憶部に記憶された情報例を示す図である。
【図５】図５は、火災発生時の解錠優先順位の決定の例を説明する図である。
【図６】図６は、図５示した状況における解錠優先順位の例を示す図である。
【図７】図７は、非常ボタン押下時の解錠優先順位の決定の例を説明する図である。
【図８】図８は、図７に示した状況における解錠優先順位の例を示す図である。
【図９】図９は、地震が発生した状況における解錠優先順位の例を示す図である。
【図１０】図１０は、実施の形態１に係る電気錠制御処理の流れの例を示すフローチャートである。
【図１１】図１１は、監視領域が複数フロアである場合の解錠優先順位を決定する例を説明する図である。
【図１２】図１２は、実施の形態２に係る火災発生の検知を最優先した解錠優先順位の決定を説明する図である。
【図１３】図１３は、実施の形態２に係る非常ボタンの押下による異常の報知を最優先した解錠優先順位の決定を説明する図である。
【図１４】図１４は、実施の形態２に係る地震発生の通報を最優先した解錠優先順位の決定を説明する図である。
【発明を実施するための形態】
【００１１】
以下に添付図面を参照して、本発明に係る電気錠制御装置及び電気錠制御方法の実施の形態を説明する。なお、以下の実施の形態により本発明が限定されるものではない。
【００１２】
（実施の形態１）
［システム構成］
図１を用いて、実施の形態１に係る電気錠制御システムの構成を説明する。図１は、実施の形態１に係る電気錠制御システムの構成例を示す図である。
【００１３】
図１に示すように、電気錠制御システム１には、震度計１０と、火災センサ１１ａ〜火災センサ１１ｎ（ｎは、自然数）と、非常ボタン１２ａ〜非常ボタン１２ｎと、警備装置１３と、電源装置１４と、電気錠１５ａ〜電気錠１５ｎと、操作部１６ａ〜操作部１６ｎと、電気錠制御装置１００とが含まれる。
【００１４】
震度計１０は、地面の動きを計測し、地震発生時の地震の震度を算出する。また、震度計１０は、算出した震度を警備装置１３に送出する。なお、震度計１０の代わりに、緊急地震速報等の地震に関する地震情報を警備装置１３が取得するように構成しても良い。火災センサ１１ａ〜火災センサ１１ｎは、火災の発生を検知するセンサである。また、火災センサ１１ａ〜火災センサ１１ｎは、検知した火災の発生の旨を警備装置１３に送出する。非常ボタン１２ａ〜非常ボタン１２ｎは、非常時にユーザに押下されることにより、異常を報知する。また、非常ボタン１２ａ〜非常ボタン１２ｎによる異常の報知は、警備装置１３に送出される。
【００１５】
警備装置１３は、電気錠１５ａ〜電気錠１５ｎが設置された領域を含む監視領域の警備を行なう。また、警備装置１３は、震度計１０からの地震発生、火災センサ１１ａ〜火災センサ１１ｎからの火災発生、非常ボタン１２ａ〜非常ボタン１２ｎからの異常発生の入力を受け付けた場合に、地震、火災及び異常が発生した旨のそれぞれを電気錠制御装置１００に出力する。また、警備装置１３は、監視領域のうち少なくとも一つの電気錠ごとに区分けされた領域における人の存在有無状況や人数情報、監視領域における各火災センサと各電気錠との距離情報、監視領域における各非常ボタンと各電気錠との距離情報、監視領域における避難口と各電気錠との距離情報を、非常事態の発生の状況として、必要に応じて電気錠制御装置１００に出力する。電源装置１４は、電気錠制御装置１００が電気錠１５ａ〜電気錠１５ｎを解錠するための電力を該電気錠制御装置１００に供給する。
【００１６】
電気錠１５ａ〜電気錠１５ｎは、電気錠制御装置１００からの制御により施解錠される電気錠である。また、電気錠１５ａ〜電気錠１５ｎは、例えば、モータを利用して施解錠するモータ錠型や、通電のたびに施解錠する瞬時通電施解錠型等のタイプの電気錠として構成することができる。操作部１６ａ〜操作部１６ｎは、電気錠１５ａ〜電気錠１５ｎが設置された扉付近に設けられた、テンキー、カードリーダ、タッチパネル、生体情報読取装置等である。操作部１６ａ〜操作部１６ｎがユーザによって操作されることにより、該当の操作部から電気錠制御装置１００に信号が送られ、該電気錠制御装置１００の応答によって電気錠１５ａ〜電気錠１５ｎが施解錠される。
【００１７】
電気錠制御装置１００は、操作部１６ａ〜操作部１６ｎからの信号をもとに認証処理を行ない、電源装置１４から供給される電力を利用して、電気錠１５ａ〜電気錠１５ｎの施解錠を制御する。また、本実施形態では、電気錠制御装置１００は、警備装置１３から入力された非常事態が発生した旨の各種情報を受け付けると、非常事態の発生の状況をもとに、電気錠１５ａ〜電気錠１５ｎを解錠する順位を表す解錠優先順位を決定し、電源装置１４から供給される電力を利用して、決定した解錠優先順位にしたがって電気錠１５ａ〜電気錠１５ｎの解錠制御を行なう。なお、電気錠制御装置１００による詳細な処理については後述する。
【００１８】
[監視領域]
次に、図２を用いて、警備装置１３によって警備が行なわれる監視領域について説明する。図２は、警備装置１３によって警備が行なわれる監視領域の例を示す図である。
【００１９】
図２に示すように、監視領域は、建造物の１フロアであり、階段室（避難口）、エレベータ（EV）、エレベータホール、２つの応接室、受付、執務室、作業室、資料室及び倉庫を含む。また、エレベータホールと執務室とを隔てる扉「扉１」付近、受付と執務室とを隔てる扉「扉２」付近、作業室の扉「扉３」付近、資料室の扉「扉４」付近には、それぞれ電気錠が設置される。つまり、監視領域のうち執務室と、作業室と、資料室とが、少なくとも一つの電気錠ごとに区分けされた領域となる。また、監視領域には、執務室と、作業室と、資料室と、倉庫とにそれぞれ火災センサ（火災センサ１〜火災センサ４）が設置される。また、監視領域には、受付と、執務室と、作業室と、資料室とにそれぞれ非常ボタン（非常ボタン１〜非常ボタン４）が設置される。
【００２０】
[電気錠制御装置の構成]
次に、図３を用いて、実施の形態１に係る電気錠制御装置１００の構成を説明する。図３は、実施の形態１に係る電気錠制御装置１００の構成例を示す機能ブロック図である。図３に示すように、電気錠制御装置１００は、解錠優先順位記憶部１１１と、固定解錠順位記憶部１１２と、受付部１２１と、取得部１２２と、決定部１２３と、解錠制御部１２４とを有する。
【００２１】
受付部１２１は、警備装置１３から、火災が発生した旨や、地震が発生した旨や、非常ボタンが押下された旨等の非常事態が発生した旨の入力を受け付ける。何らかの非常事態が発生した場合には、監視領域に居る人を避難させるために、監視領域に設置された各電気錠を順次解錠する。なお、各電気錠が設置された扉は、サムターンを利用して施解錠可能な扉もあるが、出入管理の都合上、サムターンを設けられない扉がある。また、非常事態の切迫した状況においては、冷静な判断を行なえずにサムターンによる解錠を行なえない可能性もあるため、電気錠制御装置１００を利用して電気錠を順次解錠する。電気錠の解錠は、例えば、３秒〜５秒の間隔での制御となる。
【００２２】
取得部１２２は、受付部１２１によって火災、地震、非常ボタンの押下等の非常事態が発生した旨の入力が受け付けられた場合に、監視領域のうち少なくとも一つの電気錠ごとに区分けされた領域における人の存在有無状況や人数情報を警備装置１３に要求する。そして、取得部１２２は、警備装置１３からの応答により各領域における人の存在有無状況や人数情報を取得する。
【００２３】
ここで、警備装置１３は、アンチパスバック機能において記録された監視領域における各部屋の入出状態により、人の存在有無状況を判定できる。また、警備装置１３は、監視領域の対象の部屋に人が存在することで、防犯のための警備の実行対象から外れている状態を表す警備解除状態であるか否かにより、人の存在有無状況を判定できる。また、警備装置１３は、監視領域における各部屋の照明やエア・コンディショナ（Air  Conditioner）の使用又は不使用により、人の存在有無状況を判定できる。これらの他、警備装置１３は、出退勤管理システムにおける出勤情報や、各部屋に置かれたＰＣ（Personal  Computer）のログイン状態や、出入管理システムの照合頻度等を利用して、人の存在有無状況を判定できる。また、警備装置１３は、人数情報についても、上記の各種技術を利用して取得することができる。
【００２４】
決定部１２３は、取得部１２２によって取得された各領域の人の存在有無状況や人数情報をもとに、人が存在する領域、さらには人が存在する領域のうち人数が多い領域の電気錠を優先して解錠するように順位付けした解錠優先順位を決定する。このとき、人が存在する領域が複数存在したり人数が同数であったりして、解錠優先順位が一意に決定できない場合に、決定部１２３は、非常事態の種類に応じて解錠優先順位を決定する。一方、決定部１２３は、解錠優先順位が一意に決定できた場合、即ち、人が存在する領域が単数である場合や人が存在する領域における人数が同数でない場合に、決定した解錠優先順位を解錠優先順位記憶部１１１に格納する。
【００２５】
ここで、人の存在有無状況をもとにした解錠優先順位が一意に決定できない場合において、受付部１２１によって火災が発生した旨の入力が受け付けられていたときの解錠優先順位の決定について説明する。火災の場合、決定部１２３は、監視領域に設置され、火災の発生を検知した火災センサと、該監視領域に設置された各電気錠との距離情報に応じて解錠優先順位を決定する。火災センサと各電気錠との距離情報は、所定の記憶装置（図示せず）に記憶させておき、該所定の記憶装置から取得しても良いし、警備装置１３から適宜取得するようにしても良い。より具体的には、決定部１２３は、火災を検知した火災センサと各電気錠との距離情報から、該火災センサにより近い電気錠を優先して解錠するように順位付けした解錠優先順位を決定する。なお、決定部１２３は、避難口への避難路を確保するために、避難口に近傍な電気錠を最優先して解錠するように解錠優先順位を決定し、この次から火災センサにより近い電気錠を優先して解錠するように解錠優先順位を決定しても良い。このとき、決定部１２３は、避難口と各火災センサとの距離情報を所定の記憶装置又は警備装置１３から適宜取得する。
【００２６】
ここで、火災センサと各電気錠との距離情報をもとにした解錠優先順位が一意に決定できない場合のさらなる解錠優先順位の決定について説明する。決定部１２３は、固定解錠順位記憶部１１２に記憶された、予め決定された各電気錠の解錠順位である固定解錠順位に応じて解錠優先順位を決定する。図４は、固定解錠順位記憶部１１２に記憶された情報例を示す図である。図４に示すように、固定解錠順位記憶部１１２は、各電気錠の固定の解錠順位を記憶する。例を挙げると、固定解錠順位記憶部１１２は、優先順位１「扉１の電気錠」と、優先順位２「扉４の電気錠」と、優先順位３「扉３の電気錠」と、優先順位４「扉２の電気錠」とを記憶する。なお、固定解錠順位記憶部１１２は、監視領域ごとに固定解錠順位を記憶する。これらにより、決定部１２３は、解錠優先順位を一意に決定する。
【００２７】
図５を用いて、火災発生時の解錠優先順位の決定について説明する。図５は、火災発生時の解錠優先順位の決定の例を説明する図である。また、図５において、執務室及び資料室には人が存在するものとし、作業室には人が存在しないものとする。これら以外の領域には人が存在していてもしていなくてもどちらでも良い。なお、図５では、説明の便宜上、火災センサのみが監視領域に設置されている場合を示す。
【００２８】
例えば、火災センサ１によって火災の発生が検知された場合には、人の存在する領域である執務室及び資料室について、該火災センサ１により近い電気錠を解錠するために、「扉１」及び「扉２」付近に設置された電気錠を優先して解錠する解錠優先順位を決定する。この次に、人の存在する領域である資料室の扉「扉４」付近に設置された電気錠を解錠する解錠優先順位を決定する。最後に、人が存在しない作業室の扉「扉３」付近に設置された電気錠を解錠する解錠優先順位を決定する。また、火災センサ１と「扉１」付近に設置された電気錠との距離、火災センサ１と「扉２」付近に設置された電気錠との距離が同一である場合には、固定解錠順位記憶部１１２を参照して、より優先順位の高い「扉１」付近に設置された電気錠を優先して解錠する解錠優先順位を決定する。これらにより決定された解錠優先順位は、優先順位１「扉１の電気錠」、優先順位２「扉２の電気錠」、優先順位３「扉４の電気錠」、優先順位４「扉３の電気錠」となる。
【００２９】
図６は、図５示した状況における解錠優先順位の例を示す図である。図６に示すように、火災センサ１によって火災の発生が検知された場合の解錠優先順位は、優先順位１「扉１の電気錠」、優先順位２「扉２の電気錠」、優先順位３「扉４の電気錠」、優先順位４「扉３の電気錠」となる。また、火災センサ２によって火災の発生が検知された場合の解錠優先順位は、優先順位１「扉４の電気錠」、優先順位２「扉１の電気錠」、優先順位３「扉２の電気錠」、優先順位４「扉３の電気錠」となる。また、火災センサ３によって火災の発生が検知された場合の解錠優先順位は、優先順位１「扉４の電気錠」、優先順位２「扉１の電気錠」、優先順位３「扉２の電気錠」、優先順位４「扉３の電気錠」となる。また、火災センサ４によって火災の発生が検知された場合の解錠優先順位は、優先順位１「扉４の電気錠」、優先順位２「扉１の電気錠」、優先順位３「扉２の電気錠」、優先順位４「扉３の電気錠」となる。
【００３０】
また、人の存在有無状況をもとにした解錠優先順位が一意に決定できない場合において、受付部１２１によって非常ボタンが押下された旨の入力が受け付けられていたときの解錠優先順位の決定について説明する。非常ボタンの押下の場合、決定部１２３は、監視領域に設置され、異常の発生を報知した非常ボタンと、該監視領域に設置された各電気錠との距離情報に応じて解錠優先順位を決定する。非常ボタンと各電気錠との距離情報は、火災センサのときと同様に、所定の記憶装置に記憶させておき、該所定の記憶装置から取得しても良いし、警備装置１３から適宜取得するようにしても良い。より具体的には、決定部１２３は、異常を報知した非常ボタンと各電気錠との距離情報から、該非常ボタンにより近い電気錠を優先して解錠するように順位付けした解錠優先順位を決定する。
【００３１】
ここで、非常ボタンと各電気錠との距離情報をもとにした解錠優先順位が一意に決定できない場合に、決定部１２３は、固定解錠順位記憶部１１２に記憶された固定解錠順位に応じて、解錠優先順位をさらに決定する。なお、適用する環境によっては防犯面を考慮して、非常ボタンの押下に連動させない電気錠があっても良い。例えば、非常ボタン１が押下された場合には、エレベータホール側には退避できるので、何れの電気錠も解錠しないようにしても良い。
【００３２】
図７を用いて、非常ボタン押下時の解錠優先順位の決定について説明する。図７は、非常ボタン押下時の解錠優先順位の決定の例を説明する図である。また、図７において、執務室及び資料室には人が存在するものとし、作業室には人が存在しないものとする。これら以外の領域には人が存在していてもしていなくてもどちらでも良い。なお、図７では、説明の便宜上、非常ボタンのみが監視領域に設置されている場合を示す。
【００３３】
例えば、非常ボタン２によって異常の発生が報知された場合には、人の存在する領域である執務室及び資料室について、該非常ボタン２により近い電気錠を解錠するために、「扉１」及び「扉２」付近に設置された電気錠を優先して解錠する解錠優先順位を決定する。この次に、人の存在する領域である資料室の扉「扉４」付近に設置された電気錠を解錠する解錠優先順位を決定する。最後に、人が存在しない作業室の扉「扉３」付近に設置された電気錠を解錠する解錠優先順位を決定する。また、非常ボタン２と「扉１」付近に設置された電気錠との距離、非常ボタン２と「扉２」付近に設置された電気錠との距離が同一である場合には、固定解錠順位記憶部１１２を参照して、より優先順位の高い「扉１」付近に設置された電気錠を優先して解錠する解錠優先順位を決定する。これらにより決定された解錠優先順位は、優先順位１「扉１の電気錠」、優先順位２「扉２の電気錠」、優先順位３「扉４の電気錠」、優先順位４「扉３の電気錠」となる。
【００３４】
図８は、図７に示した状況における解錠優先順位の例を示す図である。図８に示すように、非常ボタン１によって異常の発生が報知された場合の解錠優先順位は、優先順位１「扉２の電気錠」、優先順位２「扉１の電気錠」、優先順位３「扉４の電気錠」、優先順位４「扉３の電気錠」となる。また、非常ボタン２によって異常の発生が報知された場合の解錠優先順位は、優先順位１「扉１の電気錠」、優先順位２「扉２の電気錠」、優先順位３「扉４の電気錠」、優先順位４「扉３の電気錠」となる。また、非常ボタン３によって異常の発生が報知された場合の解錠優先順位は、優先順位１「扉３の電気錠」、優先順位２「扉４の電気錠」、優先順位３「扉１の電気錠」、優先順位４「扉２の電気錠」となる。また、非常ボタン４によって異常の発生が報知された場合の解錠優先順位は、優先順位１「扉４の電気錠」、優先順位２「扉１の電気錠」、優先順位３「扉２の電気錠」、優先順位４「扉３の電気錠」となる。図７に示した状況では、非常ボタン３が設置された作業室に人が存在しないものとして説明したが、該非常ボタン３が押下されたという状況であれば、該作業室に人が存在する可能性が高いため、「扉３」付近に設置された電気錠をより優先して解錠する解錠優先順位が決定される。但し、非常ボタン３による報知が誤報である可能性もあるため、人が存在しない領域の非常ボタン３の押下に対する解錠優先順位をどのようにするかは、設定により、より優先させるようにしても良いし、優先順位を低くするようにしても良い。
【００３５】
また、人の存在有無状況をもとにした解錠優先順位が一意に決定できない場合において、受付部１２１によって地震が発生した旨の入力が受け付けられていたときの解錠優先順位の決定について説明する。地震発生の場合、決定部１２３は、避難口と、各電気錠との距離情報に応じて解錠優先順位を決定する。避難口と各電気錠との距離情報は、火災センサや非常ボタンのときと同様に、所定の記憶装置に記憶させておき、該所定の記憶装置から取得しても良いし、警備装置１３から適宜取得するようにしても良い。より具体的には、決定部１２３は、避難口と各電気錠との距離情報から、該避難口により遠い電気錠を優先して解錠するように順位付けした解錠優先順位を決定する。但し、決定部１２３は、避難口への避難路を確保するために、避難口により近い電気錠を解錠するように解錠優先順位を決定し、この次に避難口により遠い電気錠を解錠するように解錠優先順位を決定しても良い。
【００３６】
ここで、避難口と各電気錠との距離情報をもとにした解錠優先順位が一意に決定できない場合に、決定部１２３は、固定解錠順位記憶部１１２に記憶された固定解錠順位に応じて、解錠優先順位をさらに決定する。
【００３７】
図９は、地震が発生した状況における解錠優先順位の例を示す図である。なお、図９では、図５又は図７に示した状況と同様に、執務室及び資料室には人が存在するものとし、作業室には人が存在しないものとする。これら以外の領域には人が存在していてもしていなくてもどちらでも良い。図９に示すように、地震が発生した場合の解錠優先順位は、優先順位１「扉４の電気錠」、優先順位２「扉１の電気錠」、優先順位３「扉２の電気錠」、優先順位４「扉３の電気錠」となる。つまり、図９に示した例では、避難口により遠い電気錠である「扉４の電気錠」を最優先し、次に人が存在する領域に設置された電気錠である「扉１の電気錠」、「扉２の電気錠」を優先し、最後に人が存在しない領域に設置された電気錠である「扉３の電気錠」を優先するような解錠優先順位が決定される。なお、避難口への避難路をまず確保する場合には、避難口により近い電気錠である「扉１の電気錠」を最優先し、次に人が存在する領域に設置され避難口により遠い電気錠である「扉４の電気錠」、次に人が存在する領域に設置された電気錠である「扉２の電気錠」、最後に人が存在しない領域に設置された電気錠である「扉３の電気錠」を優先するような解錠優先順位が決定される。
【００３８】
また、決定部１２３によって解錠優先順位が上記のように決定された場合に、解錠制御部１２４は、解錠優先順位にしたがって各電気錠を順次解錠する。より具体的には、解錠制御部１２４は、電源装置１４から供給される電力を利用して、解錠優先順位記憶部１１１に記憶された解錠優先順位にしたがって各電気錠を順次解錠する制御を行なう。
【００３９】
[実施の形態１に係る電気錠制御処理]
次に、図１０を用いて、実施の形態１に係る電気錠制御処理の流れについて説明する。図１０は、実施の形態１に係る電気錠制御処理の流れの例を示すフローチャートである。
【００４０】
図１０に示すように、受付部１２１によって警備装置１３からの非常事態が発生した旨の入力が受け付けられた場合に（ステップＳ１０１肯定）、取得部１２２は、監視領域のうち少なくとも一つの電気錠ごとに区分けされた領域における人の存在有無状況を警備装置１３から取得する（ステップＳ１０２）。一方、受付部１２１は、警備装置１３から非常事態が発生した旨の入力を受け付けていない場合に（ステップＳ１０１否定）、該非常事態が発生した旨の入力の受け付け待ちの状態となる。
【００４１】
また、決定部１２３は、取得部１２２によって取得された各領域における人の存在有無状況をもとに、人が存在する領域の電気錠を優先して解錠するように順位付けした解錠優先順位を決定する（ステップＳ１０３）。なお、決定部１２３は、人の存在有無状況に加えて、人数情報をもとに、人数がより多い領域の電気錠を優先して解錠するように順位付けした解錠優先順位を決定しても良い。
【００４２】
また、決定部１２３は、人が存在する領域が複数存在することにより、解錠優先順位が一意に決定できていない場合に（ステップＳ１０４肯定）、受付部１２１によって受け付けられた非常事態の種類が火災センサによる火災の検知であるか否かを判定する（ステップＳ１０５）。一方、人が存在する領域が単数であったり、領域における人の人数が異なったりすることにより、決定部１２３によって決定された解錠優先順位が一意に決定できていると判定された場合に（ステップＳ１０４否定）、解錠制御部１２４は、決定された解錠優先順位にしたがって各電気錠を順次解錠する制御を行なう（ステップＳ１１４）。
【００４３】
また、決定部１２３は、非常事態の種類が火災センサによる火災の検知であると判定した場合に（ステップＳ１０５肯定）、火災の発生を検知した火災センサと各電気錠との距離情報を所定の記憶装置等から取得する（ステップＳ１０６）。そして、決定部１２３は、火災の発生を検知した火災センサと各電気錠との距離情報から、該火災センサにより近い電気錠を優先して解錠するように順位付けした解錠優先順位を決定する（ステップＳ１０７）。
【００４４】
一方、決定部１２３は、非常事態の種類が火災センサによる火災の検知でないと判定した場合に（ステップＳ１０５否定）、非常事態の種類が非常ボタンの押下による異常の報知であるか否かを判定する（ステップＳ１０８）。このとき、決定部１２３は、非常事態の種類が非常ボタンの押下による異常の報知であると判定した場合に（ステップＳ１０８肯定）、異常を報知した非常ボタンと各電気錠との距離情報を所定の記憶装置等から取得する（ステップＳ１０９）。そして、決定部１２３は、異常を報知した非常ボタンと各電気錠との距離情報から、該非常ボタンにより近い電気錠を優先して解錠するように順位付けした解錠優先順位を決定する（ステップＳ１０７）。
【００４５】
一方、決定部１２３は、非常事態の種類が非常ボタンの押下による異常の報知でないと判定した場合に（ステップＳ１０８否定）、非常事態の種類が地震の発生によるものであることから、避難口と各電気錠との距離情報を所定の記憶装置等から取得する（ステップＳ１１０）。そして、決定部１２３は、避難口と各電気錠との距離情報から、非常ボタンにより遠い電気錠を優先して解錠するように順位付けした解錠優先順位を決定する（ステップＳ１０７）。
【００４６】
また、決定部１２３は、火災センサと各電気錠との距離情報、非常ボタンと各電気錠との距離情報、又は、避難口と各電気錠との距離情報等の、各種距離情報をもとにした解錠優先順位の決定において、距離が同一となる電気錠が存在することにより、解錠優先順位が一意に決定できていない場合に（ステップＳ１１１肯定）、固定解錠順位記憶部１１２から固定解錠順位を取得する（ステップＳ１１２）。そして、決定部１２３は、取得した固定解錠順位に応じて、一意に決定できていない電気錠の解錠順位を決定することにより、全ての電気錠に対する解錠優先順位を決定する（ステップＳ１１３）。これらの後、解錠制御部１２４は、決定部１２３によって決定された解錠優先順位にしたがって各電気錠を順次解錠する制御を行なう（ステップＳ１１４）。一方、各種距離情報をもとにした解錠優先順位の決定において、距離が同一となる電気錠が存在しないことにより、決定部１２３によって決定された解錠優先順位が一意に決定できていると判定された場合に（ステップＳ１１１否定）、解錠制御部１２４は、決定された解錠優先順位にしたがって各電気錠を順次解錠する制御を行なう（ステップＳ１１４）。
【００４７】
［実施の形態１による効果］
上述したように、電気錠制御装置１００は、人の存在有無状況、火災センサと電気錠との距離情報、非常ボタンと電気錠との距離情報、避難口と電気錠との距離情報、及び、固定解錠順位をもとに解錠優先順位を決定し、決定した解錠優先順位にしたがって電気錠を順次解錠する制御を行なうので、状況に応じて最適な順に電気錠を解錠することができる。換言すると、電気錠制御装置１００は、火災や地震の発生或いは非常ボタンの押下等の非常事態の状況に応じて決定した解錠優先順位にしたがって電気錠を順次解錠する制御を行なうので、予め定められた優先順位にしたがって電気錠を順次解錠する従来技術と比較して、状況に応じて最適な順に電気錠を解錠することができる。
【００４８】
（実施の形態２）
さて、これまで本発明に係る電気錠制御装置１００の実施の形態について説明したが、上述した実施の形態以外にも種々の異なる形態にて実施されてよいものである。そこで、（１）複数フロアにおける解錠優先順位、（２）解錠優先順位の決定、（３）構成、について異なる実施の形態を説明する。
【００４９】
（１）複数フロアにおける解錠優先順位
上記実施の形態１では、監視領域が１フロアである際の解錠優先順位を決定する場合を説明したが、監視領域が複数フロアである際の解錠優先順位を決定することもできる。図１１は、監視領域が複数フロアである場合の解錠優先順位を決定する例を説明する図である。なお、図１１の説明では、３階のフロアに設置された火災センサにより火災が検知された場合を例に挙げる。
【００５０】
図１１に示すように、７階建ての建造物において、３階に設置された火災センサにより火災が検知された場合には、３階のフロアにおける解錠優先順位については上記実施の形態１と同様の処理により決定する。３階以外のフロアについては、火災の場合は建造物の上階に向かって火が拡大していくため、３階の次には４階、４階の次には５階に設置された電気錠を優先して解錠するように解錠優先順位を決定する。このとき、４階における解錠優先順位は、火災を検知した３階の火災センサの直上の位置から各電気錠までの距離や、人の存在有無状況等に応じて解錠優先順位を決定するようにしても良い。これらにより、電気錠制御装置１００は、監視領域が複数フロアに跨る場合においても、状況に応じて最適な順に電気錠を解錠することができる。
【００５１】
（２）解錠優先順位の決定
また、上記実施の形態１では、各領域における人の存在有無状況を最優先した解錠優先順位を決定する場合を説明したが、火災や地震或いは非常ボタンの押下を最優先した解錠優先順位を決定しても良い。
【００５２】
図１２は、実施の形態２に係る火災発生の検知を最優先した解錠優先順位の決定を説明する図である。なお、監視領域と該監視領域における火災センサの設置場所は、図５と同様であるものとする。図１２に示すように、決定部１２３は、火災を検知した火災センサと各電気錠との距離情報、さらには避難口と各電気錠との距離情報をもとに、避難口への避難路を確保するための扉付近に設置された電気錠を優先して解錠するように解錠優先順位を決定し、この次に火災の発生を検知した火災センサにより近い電気錠を優先して解錠するように解錠優先順位を決定する。なお、解錠優先順位が一意に決定できない場合には、人の存在有無状況や固定解錠順位等を適宜利用すれば良い。
【００５３】
例を挙げると、図１２に示すように、火災センサ１によって火災の発生が検知された場合の解錠優先順位は、優先順位１「扉１の電気錠」、優先順位２「扉２の電気錠」、優先順位３「扉４の電気錠」、優先順位４「扉３の電気錠」となる。また、火災センサ２によって火災の発生が検知された場合の解錠優先順位は、優先順位１「扉３の電気錠」、優先順位２「扉４の電気錠」、優先順位３「扉１の電気錠」、優先順位４「扉２の電気錠」となる。また、火災センサ３によって火災の発生が検知された場合の解錠優先順位は、優先順位１「扉４の電気錠」、優先順位２「扉３の電気錠」、優先順位３「扉１の電気錠」、優先順位４「扉２の電気錠」となる。また、火災センサ４によって火災の発生が検知された場合の解錠優先順位は、優先順位１「扉４の電気錠」、優先順位２「扉３の電気錠」、優先順位３「扉１の電気錠」、優先順位４「扉２の電気錠」となる。
【００５４】
図１３は、実施の形態２に係る非常ボタンの押下による異常の報知を最優先した解錠優先順位の決定を説明する図である。なお、監視領域と該監視領域における非常ボタンの設置場所は、図７と同様であるものとする。図１３に示すように、決定部１２３は、異常を報知した非常ボタンと各電気錠との距離情報をもとに、異常を報知した非常ボタンにより近い電気錠を優先して解錠するように解錠優先順位を決定する。なお、解錠優先順位が一意に決定できない場合には、人の存在有無状況や固定解錠順位等を適宜利用すれば良い。
【００５５】
例を挙げると、図１３に示すように、非常ボタン１によって異常の発生が報知された場合の解錠優先順位は、優先順位１「扉２の電気錠」、優先順位２「扉１の電気錠」、優先順位３「扉３の電気錠」、優先順位４「扉４の電気錠」となる。また、非常ボタン２によって異常の発生が報知された場合の解錠優先順位は、優先順位１「扉１の電気錠」、優先順位２「扉２の電気錠」、優先順位３「扉３の電気錠」、優先順位４「扉４の電気錠」となる。また、非常ボタン３によって異常の発生が報知された場合の解錠優先順位は、優先順位１「扉３の電気錠」、優先順位２「扉４の電気錠」、優先順位３「扉１の電気錠」、優先順位４「扉２の電気錠」となる。また、非常ボタン４によって異常の発生が報知された場合の解錠優先順位は、優先順位１「扉４の電気錠」、優先順位２「扉３の電気錠」、優先順位３「扉１の電気錠」、優先順位４「扉２の電気錠」となる。
【００５６】
図１４は、実施の形態２に係る地震発生の通報を最優先した解錠優先順位の決定を説明する図である。なお、監視領域は、図２に示した監視領域と同様であるものとする。図１４に示すように、決定部１２３は、避難口により遠い電気錠を解錠するように解錠優先順位を決定する。例を挙げると、図１４に示すように、地震が発生した場合の解錠優先順位は、優先順位１「扉４の電気錠」、優先順位２「扉３の電気錠」、優先順位３「扉１の電気錠」、優先順位４「扉２の電気錠」となる。
【００５７】
なお、決定部１２３は、避難口への避難路を確保するために、避難口により近い電気錠を解錠するように解錠優先順位を決定し、その次から避難口により遠い電気錠を解錠するように解錠優先順位を決定するようにしても良い。かかる場合に、地震が発生した場合の解錠優先順位は、優先順位１「扉１の電気錠」、優先順位２「扉４の電気錠」、優先順位３「扉３の電気錠」、優先順位４「扉２の電気錠」となる。
【００５８】
（３）構成
また、上記文書中や図面中等で示した処理手順、制御手順、具体的名称、各種のデータやパラメタ等を含む情報は、特記する場合を除いて任意に変更することができる。例えば、固定解錠順位記憶部１１２に記憶される情報は、図示した例に限られるわけではなく、監視領域に設置された電気錠の場所や各領域（各部屋）の配置によって適宜変更され得る。
【００５９】
また、図示した電気錠制御装置１００の各構成要素は、機能概念的なものであり、必ずしも物理的に図示の如く構成されていることを要しない。すなわち、各装置の分散又は統合の具体的形態は、図示のものに限られず、その全部又は一部を各種の負担や使用状況などに応じて、任意の単位で機能的または物理的に分散又は統合することができる。例えば、決定部１２３を、解錠優先順位を決定する「決定部」と、解錠優先順位を一意に決定するための各種情報を適宜取得する「情報取得部」とに分散しても良い。
【符号の説明】
【００６０】
１００  電気錠制御装置
１１１  解錠優先順位記憶部
１１２  固定解錠順位記憶部
１２１  受付部
１２２  取得部
１２３  決定部
１２４  解錠制御部
【図１】
0006054628.tif 000002
【図２】
0006054628.tif 000003
【図３】
0006054628.tif 000004
【図４】
0006054628.tif 000005
【図５】
0006054628.tif 000006
【図６】
0006054628.tif 000007
【図７】
0006054628.tif 000008
【図８】
0006054628.tif 000009
【図９】
0006054628.tif 000010
【図１０】
0006054628.tif 000011
【図１１】
0006054628.tif 000012
【図１２】
0006054628.tif 000013
【図１３】
0006054628.tif 000014
【図１４】
0006054628.tif 000015